(57)【要約】【課題】キャップの開栓に際して分断するタイプの開封履歴明示バンドを備えた螺子キャップにおいて、開栓により容器口部から取り外されたキャップを、何ら支障なく、そのまま手で持つことができ、容器口部から取り外されたキャップの取り扱いが容易な螺子キャップを提供する。【解決手段】螺子係合により容器口部に固定されるキャップ本体１と、キャップ本体１のスカート部６の下端に設けられ且つ筒状形状を有する開封履歴明示バンド２とからなり、該バンド２は、上下方向に延びている分断面３０ａ，３０ｂを有しており、この分断面３０ａ，３０ｂがキャップの開栓に際して破断するブリッジ３１ａ，３１ｂによって連結されている螺子キャップにおいて、分断面３０ａ，３０ｂの一方側は、キャップ軸方向線Ｚを基準として凹んだ湾曲部４０を有しており、ブリッジ３０ａ，３０ｂは、破断残片４３が湾曲部４０に残るように設けられていることを特徴とする。【選択図】図１
2015217966.tif 000002
【特許請求の範囲】
【請求項１】
螺子係合により容器口部に固定されるキャップ本体と、該キャップ本体のスカート部下端に設けられ且つ筒状形状を有する開封履歴明示バンドとからなり、該バンドは上下方向に延びている分断面を有しており、この分断面がキャップの開栓に際して破断するブリッジによって連結されている螺子キャップにおいて、
前記分断面の一方側は、キャップ軸方向線を基準として凹んだ湾曲部を有しており、前記ブリッジは、その破断残片が該湾曲部に残るように設けられていることを特徴とする螺子キャップ。
【請求項２】
前記分断面の他方側は、前記湾曲部に対応して、キャップ軸方向線を基準として突出した湾曲部を有している請求項１に記載の螺子キャップ。
【請求項３】
前記開封履歴明示バンドの上端は、開栓に際しても破断しない非破断型連結片と、開栓に際して破断する破断型連結片とによって、前記スカート部の下端に連結されている請求項１または２に記載の螺子キャップ。
【請求項４】
前記ブリッジは複数設けられている請求項１〜３の何れかに記載の螺子キャップ。
【請求項５】
前記ブリッジは、前記凹んだ湾曲部の中心線に対して、上側となる部分と下側になる部分とのそれぞれに設けられている請求項４に記載の螺子キャップ。
【請求項６】
前記開封履歴明示バンドの内面には、閉栓方向への回転は許容するが、容器口部の外面に形成されている突起部との当接によって開栓方向への回転を制限するラチェットが少なくとも１個設けられている請求項３に記載の螺子キャップ。
【請求項７】
前記非破断型連結片が、折り返し部を有するストリップにより形成されている請求項６に記載の螺子キャップ。
【発明の詳細な説明】
【技術分野】
【０００１】
本発明は、開封履歴明示バンド（ＴＥバンド）を備えた螺子キャップに関するものであり、より詳細には、キャップの開封に際して、ＴＥバンドが分断するタイプの螺子キャップに関する。
【背景技術】
【０００２】
容器内容物の品質保証やいたずら防止などのために、開封履歴を明示するＴＥバンドを備えた螺子キャップが広く使用されている。即ち、この種のキャップでは、キャップを旋回して開栓したときには、キャップ本体とＴＥバンドを連結しているブリッジが破断し、これにより、キャップが開封された事実を明示するようになっている。
【０００３】
このようなＴＥバンドを備えた螺子キャップにおいては、キャップの開封に際して、ＴＥバンド自体が分断するタイプのものが知られている（例えば特許文献１〜３）。このタイプのキャップでは、ＴＥバンドが、キャップの開栓に際して破断する連結部とキャップの開栓に際して破断しない非破断連結部とによってキャップ本体とに連結されており、キャップを開栓するとＴＥバンドは、分断して開いた状態となり、この状態でキャップ本体と共に容器口部から取り除かれることとなる。即ち、ＴＥバンドが分断した状態をみて、一般の消費者は、キャップが開封された事実を認識できるのである。
このような分断型ＴＥバンドを備えたキャップは、開封したときに、ＴＥバンドが容器側に残らず、キャップに連結した状態で容器口部から取り除かれるため、容器内容物が飲料であるときには、容器側に残ったＴＥバンドにより飲料の喫飲などが阻害されず、また、キャップの廃棄に際しては、ＴＥバンドが繋がったままの状態でキャップを廃棄することができるので、ゴミの数を増やさず、廃棄が容易であるという利点もある。
【先行技術文献】
【特許文献】
【０００４】
【特許文献１】特開２００４−１４９１５６号
【特許文献２】特開２００６−２８２１８１号
【特許文献３】特開２０１３−１０３７２１号
【発明の概要】
【発明が解決しようとする課題】
【０００５】
ところで、上述した分断型のＴＥバンドでは、その分断面が破断用ブリッジによって連結されており、キャップの開栓に際して、この破断用ブリッジが破断して該ブリッジが分断されて開いた形態になるという構造を有している。このため、分断されたＴＥバンドには、どうしても破断用ブリッジの破断残片がその分断面に形成されてしまう。即ち、この破断用ブリッジは、極めて細く短いものであり、分断面に形成されるブリッジの破断残片は、棘のような形態となってしまい、この結果、キャップを容器口部から取り外したとき、このようなキャップは、破断されたＴＥバンドに形成されているブリッジの破断残片にできるだけ触れないように手で持たなければならず、例えば、キャップのリシールが煩わしくなるという問題がある。
【０００６】
従って、本発明の目的は、キャップの開栓に際して分断するタイプの開封履歴明示バンドを備えた螺子キャップにおいて、開栓により容器口部から取り外されたキャップを、何ら支障なく、そのまま手で持つことができ、容器口部から取り外されたキャップの取り扱いが容易な螺子キャップを提供することにある。
【課題を解決するための手段】
【０００７】
本発明によれば、螺子係合により容器口部に固定されるキャップ本体と、該キャップ本体のスカート部下端に設けられ且つ筒状形状を有する開封履歴明示バンドとからなり、該バンドは上下方向に延びている分断面を有しており、この分断面がキャップの開栓に際して破断するブリッジによって連結されている螺子キャップにおいて、
前記分断面の一方側は、キャップ軸方向線を基準として凹んだ湾曲部を有しており、前記ブリッジは、その破断残片が該湾曲部に残るように設けられていることを特徴とする螺子キャップが提供される。
【０００８】
本発明の螺子キャップにおいては、
（１）  前記分断面の他方側は、前記湾曲部に対応して、キャップ軸方向線を基準として突出した湾曲部を有していること、
（２）前記開封履歴明示バンド（ＴＥバンド）の上端は、開栓に際しても破断しない非破断型連結片と、開栓に際して破断する破断型連結片とによって、前記スカート部の下端に連結されていること、
（３）前記ブリッジは複数設けられていること、
（４）前記ブリッジは、前記凹んだ湾曲部の中心線に対して、上側となる部分と下側になる部分とのそれぞれに設けられていること、
（５）前記開封履歴明示バンドの内面には、閉栓方向への回転は許容するが、容器口部の外面に形成されている突起部との当接によって開栓方向への回転を制限するラチェットが少なくとも１個設けられていること、
（６）前記非破断型連結片が、折り返し部を有するストリップにより形成されていること、
が好適である。
【発明の効果】
【０００９】
本発明の螺子キャップに設けられているＴＥバンドは分断型であり、キャップの開栓に際して、このＴＥバンドはキャップ本体のスカート部に連なっているものの、分断して開いた状態となり、このようなＴＥバンドの分断状態により、キャップの開封履歴が明示されるのであるが、本発明においては、このようなＴＥバンドの上下方向に延びている分断面の一方側が、キャップ軸方向線を基準として凹んでいる湾曲部を有しており、この湾曲部に、該分断面を繋いでいるブリッジの破断残片が残るように構成されている点に顕著な特徴を有している。
即ち、キャップを開栓して容器口部から取り外したとき、取り外されたキャップ本体に連なっている分断されたＴＥバンドに形成されているブリッジの破断残片は、凹んだ湾曲部に位置するため、このキャップ本体を手で持ったとき、この破断残片が手に当るという不都合を有効に回避することができ、従って、容器口部から取り外されたキャップ（キャップ本体）の取り扱いに際して、破断残片が手に当たらないように持つなどの煩わしさがなく、例えばキャップのリシールをスムーズに行うことができる。
【００１０】
また、本発明の螺子キャップでは、ＴＥバンドは、分断型であるため、キャップを容器口部から取り外したとき、該ＴＥバンドは、容器口部に残らず、キャップ本体に連なった状態で容器口部から取り除かれるため、廃棄物が増えるなどの問題もなく、また容器内容物を容器から取り出したとき、ＴＥバンドが落下して排出された容器内容物と混ざってしまうなどの不都合を生じることもない。
【図面の簡単な説明】
【００１１】
【図１】本発明の螺子キャップの側面図。
【図２】図１の螺子キャップの側断面図。
【図３】図１の螺子キャップの底面図。
【図４】図１の螺子キャップにおけるラチェットと容器口部の突起部との関係を示す図。
【図５】図１の螺子キャップと容器口部との嵌合断面を示す半断面図。
【図６】図１の螺子キャップを開栓していくプロセスを示す図。
【図７】図１の螺子キャップにおけるＴＥバンドの分断面に形成されている破断用ブリッジと、該ブリッジの破断により形成される破断残片とを拡大して示す図。
【図８】本発明の螺子キャップの最もシンプルな形態を示す側面図。
【発明を実施するための形態】
【００１２】
図１乃至図５を参照して、本発明の螺子キャップは、大まかに言って、キャップ本体１と、筒状形状の開封履歴明示バンド（ＴＥバンド）２とから成っており、キャップ本体１は、頂板部５と、頂板部５の周縁部から垂下しているスカート部６とから形成されている。
【００１３】
頂板部５の内面には、スカート部６とは間隔を置いて下方に延びているインナーリング７が形成されており、且つインナーリング７とスカート部６との間の部分に小突起９、９が形成されている。また、スカート部６の内面には、雌螺条１０が形成されている。
【００１４】
このような螺子キャップが装着される容器口部は、図４及び図５において、全体として５０で示されている。
かかる容器口部５０は、螺子キャップの使用形態に応じて、例えばボトルの口部であってもよいし、また、袋状容器に溶着されているスパウトと呼ばれる筒状形状の注出具であってもよい。
いずれの形態にしろ、この容器口部５０は、図５の半断面図からも理解されるように、全体として、細長い中空の筒状体であって、その外面には、雄螺条５１が形成されており、この雄螺条５１の下方には、ＴＥバンド２の回転を制御するための突起部５３が形成されている。
【００１５】
かかる容器口部５０において、容器口部５０の外面に形成されている雄螺条５１は、スカート部６の内面に形成されている雌螺条１０と係合するものであり、これにより、キャップ本体１は容器口部５０に装着される。この状態において、容器口部５０の上端は、インナーリング７とスカート部６との間の空間内に侵入し、且つその上端面が頂板部５の内面に形成されている小突起９、９に圧接されることにより、良好なシールが確保されるようになっている。
【００１６】
また、図２に示されているように、スカート部６の内面の上方部分には、適当な間隔で軸方向に延びている縦リブ１２が設けられている。この縦リブ１２は、容器口部５０にキャップ本体１を装着する際のセンタリングとして作用し、キャップ本体１の斜め被りを防止するためのものである。
さらに、スカート部６の外面には、滑り止め用のローレット１５が形成されており、キャップ本体１の閉栓方向及び開栓方向への旋回をスムーズに行い得るようになっている。
【００１７】
また、ＴＥバンド２の内面には、ラチェット１７が複数形成されている。これらのラチェット１７は、図３及び図４に示されているように、閉栓方向Ｙへの回転は許容するが、容器口部５０の外面に形成されている突起部５３との当接によってＴＥバンド２の開栓方向Ｘへの回転を制限するような形状を有している。
【００１８】
尚、図２、図３及び図４から理解されるように、ＴＥバンドの上端には、水平方向内方に突出した内方フランジ２ａが形成されている。即ち、この内方フランジ２ａの上面がスカート部６の下端に対面している。また、ＴＥバンド２の内周面から内方フランジ２ａの下面と一体に連なるようにラチェット１７が形成されており、このラチェット１７は、径方向内方且つ開栓方向Ｘ側に指向している（図３参照）。このようなラチェット１７の回転制御により、ＴＥバンド２が開封履歴明示機能を発揮することとなる。この開封履歴明示機能については、後述する。
【００１９】
本発明において、上記のＴＥバンド２は、細長い紐状のストリップ２１によって、スカート部６の下端に連結されている。このストリップ２１は、開栓に際して破断しない非破断型連結片として機能するものであり、このキャップ本体１を容器口部５０から取り外したとき、ＴＥバンド２が容器口部５０側に残らずにキャップ本体１と共に容器口部５０から取り外されるようにするための部材である。
【００２０】
また、ＴＥバンド２の上端とスカート部６の下端とは小幅のブリッジ２３により連結される。この小幅のブリッジ２３は、キャップの開栓に際して破断する破断型連結片として機能するものであり、キャップの供給時、或いはキャップ本体１を容器口部５０に装着した際（キャッピング）、ＴＥバンド２が変形せずに、安定にキャップ本体１と共に容器口部５０に装着されるようにするために設けられるものである。
【００２１】
さらに、スカート部６の下端面には、上記のストリップ２１が位置している部分を除き、ＴＥバンド２との間隔調整用のリブ２５が弧状に形成されている。即ち、このようなリブ２５が形成されていることにより、ＴＥバンド２とスカート部６との間の隙間を狭くし、このキャップに軸方向荷重が加わったときの応力を緩和し、前述した小幅のブリッジ２３やストリップ２１の破損等を回避することができる。
【００２２】
ところで、ＴＥバンド２は、上下方向に延びている上下方向スリット３０によって、分断されており、互いに対面する分断面３０ａ，３０ｂが形成されている。即ち、図３及び図４を参照して、このキャップは、開栓に際してはＸで示される方向に旋回され、閉栓に際してはＹで示される方向に旋回されるが、上記の上下方向スリット３０により、ＴＥバンド２は、開栓方向Ｘ側に位置する開栓側部αと、閉栓方向Ｙ側に位置する閉栓側部βとに分断されている。また、上記のストリップ２１は、ＴＥバンド２の開栓側部αに連結されている。
【００２３】
尚、図３の底面図で示したように、この例では、スリット３０は、対称位置に２箇所形成されており、ＴＥバンド２は、各スリット３０により開栓側部αと閉栓側部βとに区画された構造となっており、該スリット３０によって分割されたＴＥバンドのそれぞれにラチェット１７が形成されている。
【００２４】
さらに、上記のスリット３０により形成されている分断面３０ａ，３０ｂとは、開栓に際して破断するブリッジ３１ａ，３１ｂによって互いに連結されている。かかる分断面３０ａ，３０ｂ及びブリッジ３１ａ，３１ｂの形態については、後で詳述する。
【００２５】
上記の構造のキャップにおいて、容器口部５０に装着されているキャップ本体１（スカート部６）を開栓方向Ｘに回転させてキャップを開栓すると、ＴＥバンド２は、ストリップ２１により引っ張られ、開栓方向Ｘ側に移動するが、上記スリット３０で区画された閉栓部側βでは前述したラチェット１７による回転制御によって開栓方向Ｘ側への移動が制限され、この結果、上記ブリッジ３１ａ，３１ｂが破断し、ＴＥバンド２が開栓側部αと閉栓側部βとに分断され、これによりＴＥ性が発現する。
【００２６】
ところで、上記のストリップ２１は、折り返し部２１ａが形成されるように長く設けることが好ましい。即ち、図１に示されているように、ストリップ２１とスカート部６との接合部及びストリップ２１とＴＥバンド２との接合部は、ＴＥバンド２を分断するスリット３０の近傍に位置せしめると同時に、ストリップ２１の全長を、スカート部６の下端とＴＥバンド２の上面との間隔に比して非常に長く設定して、このストリップ２１に折り返し部２１ａを形成するのがよい。ストリップ２１に、このような折り返し部２１ａを形成することにより、キャップ開栓時でのストリップ２１の破断を有効に防止され、開栓によるＴＥバンド２の脱落を確実に防止することができる。さらに、一旦、開栓され、ＴＥバンド２が完全に分断されると、このＴＥバンド２を分断前の形態に近い状態に戻すこともできなくなり、この結果、リシール時において優れたＴＥ性を発揮する。
【００２７】
この螺子キャップを開栓していくプロセスを示す図６を参照して、キャップ本体１を容器口部５０に装着された状態のキャップを、開栓方向に回転せしめると、キャップ本体１は上昇するが、図４に示されているように、ラチェット１７と容器口部５０の突起部５３とが係合し、ＴＥバンド２の回転は抑制される。従って、スカート部６とＴＥバンド２との間隔は次第に上昇し、これに伴って、ストリップ２１の折り返し部２１ａが徐々に伸びていき、前述した小幅のブリッジ２３は破断する（図６（ａ））。
さらに、キャップ本体１を開栓方向に回転させていくと、ストリップ２１が伸びきった状態となり、これにより、ＴＥバンド２の開栓側部αは、ストリップ２１により開栓方向Ｘ側に引っ張られることになる（図６（ｂ））。
引き続き、キャップ本体１を開栓方向に回転させていくと、キャップ本体１はさらに上昇し、ＴＥバンド２の開栓側部αは、ストリップ２１により開栓方向Ｘ側に引っ張られて上昇するが、ＴＥバンド２の閉栓部側βは、前述したラチェット１７との係合により、その旋回が制限されているため、分断面３０ａ，３０ｂを連結しているブリッジ３１ａ，３１ｂに応力が集中し、これらブリッジ３１ａ，３１ｂが破断し、ＴＥバンド２は、分断されることとなる（図６（ｃ））。即ち、分断されたＴＥバンド２が、垂れ下がったストリップ２１により連結された状態となり、消費者が明確に一度開栓されたことを認識することができる。
【００２８】
上記の開栓プロセスから理解されるように、上述した構造の螺子キャップにおいては、キャップの開栓に際しては、折り返し部２１ａを有しているため、ストリップ２１にテンションが一気に加わることはなく、ストリップ２１は、その折り返し部２１ａが徐々に伸ばされていき、徐々にテンションが加わっていく。即ち、折り返し部２１ａが遊びとなってテンションを緩和しているわけである。従って、かかる構造の螺子キャップでは、キャップの開栓に際して、ストリップ２１が破断するという不都合、即ちＴＥバンド２が脱落してしまうという不都合は有効に防止されている。
しかも、上記のストリップ２１の長さが非常に長く、開栓後では、非常に長く垂れ下がったストリップ２１に、分断されたＴＥバンド２が垂れ下がった状態にある。従って、これを元の形状に復帰させることが非常に困難であり、リシールに使用したときには、ストリップ２１がかなり歪んだ形態となってしまい、従って、一般の需要者は、一旦開封されたキャップであるという事実を容易に認識することができる。特に、キャップが小さいときには、ＴＥバンド２の径がかなり小さくなるため、ＴＥバンド２の分断を看過してしまう傾向が極めて大きいが、ストリップ２１の長さを長く設定することにより、リシールに際しては、その歪みが非常に大きく、一般需要者にも容易に認識でき、優れたＴＥ性を確保することができる。
【００２９】
尚、図１や図６に示されているように、上述した構造の螺子キャップにおいては、キャップ本体１のスカート部６の下端及びＴＥバンド２の上端部（内方フランジ２ａの上面）に、それぞれ、開栓或いは閉栓に際して互いに係合する案内突起３５ａ，３５ｂを設けておくことが好適である。即ち、これらの突起３５ａ，３５ｂは、それぞれ、直立面と傾斜面とを有しており、キャップを容器口部に装着する際の閉栓時には、直立面同士が当接係合し、キャップ本体１（スカート部６）の閉栓方向への回転がＴＥバンド２に伝達され、キャップ開栓時の初期には、傾斜面同士が当接係合し、キャップ本体１の回転に伴い、ＴＥバンド２が下方に押し下げられることとなる。これにより、ストリップ２１に過度の負荷がかからないようにして、閉栓及び開栓を行うことができる。
【００３０】
さらに、上述した螺子キャップでは、図１に示されているように、スリット３０で分断された閉栓側部βの上面には、ストリップ２１の折り返し部２１ａを許容し得るような切り欠き３７を設けることが好ましい。これにより、長いストリップ２１の形成により、スカート部６とＴＥバンド２との間隔を大きくしなければならないという不都合は有効に回避することができる。
【００３１】
また、図の例では、上下方向スリット３０は２個設けられているが、このようなスリット３０は３個或いは４個設け、それぞれにおいて、開栓側部αと閉栓側部βとに区画することも可能であるが、スリット３０の数は、２個に限定されるものではなく、１個或いは２個よりも多くすることもでき、これら複数のスリット３０によって分割されたＴＥバンド２のそれぞれにラチェット１７が設けられ、さらに、各スリット３０に対応してストリップ２１が設けられることとなる。
【００３２】
ところで、上述した構造の螺子キャップでは、先に述べたように、ＴＥバンド２には、スリット３０により分断面３０ａ，３０ｂが形成されており、開栓に際して破断するブリッジ３１ａ，３１ｂによって分断面３０ａ，３０ｂが連結された構造となっているが、本発明においては、図７に示されているように、スリット３０を直線ではなく、曲線を含む形状とすることにより、一方の分断面３０ａに、軸方向線Ｚを基準として凹んだ形状の湾曲部（湾曲凹部）４０が形成され、この湾曲凹部４０にブリッジ３１ａ，３１ｂが結合される（図７（ａ）参照）。
さらに、本発明では、開栓により、上記のブリッジ３１ａ，３１ｂが破断して形成される破断残片４３，４３が湾曲凹部４０側に存在するように（図７（ｂ）参照）、ブリッジ３１ａ、３１ｂの形態が設定される。具体的には、ブリッジ３１ａ、３１ｂは、湾曲凹部４０側の厚みが肉厚となり、対面の分断面３０ｂ側の厚みを肉薄に設定される。
【００３３】
このような本発明では、開栓により容器口部から取り除かれたキャップを取り扱い易くなる。
即ち、図７（ｂ）或いは図６（ｃ）からも理解されるように、開栓により容器口部５０から取り除かれたキャップに連なっているＴＥバンド２は、その分断面３０ａ，３０ｂの何れかに、ブリッジ３１ａ，３１ｂの破断残片４３が残るが、ブリッジ３１ａ，３１ｂが破断するように細い形状を有しているため、この破断残片４３は棘のような形態となってしまう。このため、容器口部５０から取り除かれたキャップを取り扱う場合には、この破断残片４３に手が当らないように注意するのが一般的であり、このため、このようなキャップの廃棄作業も煩わしいものとなる。
しかるに、本発明では、上記の破断残片４３は、湾曲凹部４０内に位置するように設計されているため、上記のようなキャップの取り扱いに際して、破断残片４３が手に当るという不都合を有効に回避でき、容器口部から取り除かれたキャップの取り扱いが容易となる。
【００３４】
上述した本発明のキャップにおいては、ＴＥバンド２の開栓側部α側の分断面３０ａに湾曲凹部４０を形成しているが、このような湾曲凹部４０は、ＴＥバンド２の閉栓側部β側の分断面３０ｂに形成し、この分断面３０ｂ側の湾曲凹部４０に破断残片４３を残すようにすることも勿論可能である。
【００３５】
また、上記のように、分断面３０ａに湾曲凹部４０を形成した場合には、図７等に示されているように、対面する分断面３０ｂには、湾曲凹部４０に対応して、軸方向線Ｚを基準として、湾曲凹部４０側に突出した湾曲部（湾曲凸部）４５を形成することが望ましい。これにより、分断面３０ａ，３０ｂ間の間隔を必要以上に大きくせずに、両者を繋いでいるブリッジ３１ａ，３１ｂの長さを長くすることにより生じるブリッジの偶発的な破断等の不都合を有効に防止することができる。
【００３６】
さらに、上述した例では、分断面３０ａ，３０ｂ間を連結しているブリッジは２つ形成されているが（ブリッジ３１ａ，３１ｂ）、このようなブリッジの数は、２個に限定されるものではなく、１個でもよいし、２個より多く設けることもできる。但し、分断面３０ａ，３０ｂ間を少ない数のブリッジで安定に連結するという点では、ブリッジの数は２つが好適であり、さらに、図７（ａ）に示されているように、湾曲凹部４０の中心線Ｑに対して、上側になる部分と下側になる部分とのそれぞれにブリッジを形成する（ブリッジ３１ａが上側に位置し、ブリッジ３１ｂが下側に位置している）。そして、分断面３０ａ側のブリッジの基端よりも、分断面３０ｂ側のブリッジの基端を中心線Ｑに近づかせるようにし、ブリッジを傾斜して配置することが好適である。
このようにブリッジ３１ａ，３１ｂを配置した場合、ブリッジ３１ａ，３１ｂの破断後において、破断残片４３の棘のような形状の先端が、内（中心線Ｑ）側方向に向くため、破断残片４３の先端が手に当るという不都合をより有効に回避することを可能とする。
【００３７】
また、上述した図１〜図７では、ラチェット係合を利用した螺子キャップを例にとって本発明を説明したが、本発明は、ラチェット係合を利用していない通常の螺子キャップにも適用できる。図８には、最もシンプルなタイプの螺子キャップに本発明を適用した例を示した。
【００３８】
図８のキャップは、ラチェット係合を利用していないことを除けば、その基本的な構造は、前述した螺子キャップと同じである。
【００３９】
図８において、このキャップは、キャップ本体１とＴＥバンド２とから形成されており、ＴＥバンド２は、開栓に際して破断しない非破断型連結片２１（前述したストリップ２１に相当）と、開栓に際して破断する破断型連結片２３とによって、キャップ本体１のスカート部６の下端に連結されている。
また、図示されていないが、スカート部６の内面には、容器口部の外面に係合する螺条が形成されており、ＴＥバンド２の内面には、容器口部の外面に形成されている顎部（容器口部外面の螺条の下方に形成されている突部）の下面に係合するフラップ片の如き突片が形成されている。
さらに、ＴＥバンド２には、前述したキャップと同様、分断面３０ａ，３０ｂが形成されており、一方の分断面３０ａには、湾曲凹部４０が形成されており、このような湾曲凹４０に破断残片が残るように、分断面３０ａと３０ｂとは、開栓に際して破断するブリッジ３１ａ，３１ｂによって連結されている。
【００４０】
即ち、容器口部に装着されたキャップ本体１を開栓方向に回転すると、キャップ本体１は、螺子係合の解除に伴って上昇するが、ＴＥバンド２は、その内面に形成されている突片と容器顎部との係合により上昇が阻止される。この結果、前述した破断型連結片２３が破断し、キャップ本体１は上昇していくが、ＴＥバンド２は、非破断型連結片２１によっての開栓方向且つ上方に引っ張り上げられる。この結果、分断面３０ａと３０ｂを連結しているブリッジ３１ａ，３１ｂが破断し、ＴＥバンド２は分断されることとなる。即ち、キャップ本体１は、分断されたＴＥバンド２が非破断型連結片２１によって繋がれたままの状態で容器口部から取り外されることとなる。従って、ＴＥバンド２が分断された状態を見て、一般の消費者はキャップが取り外された開封履歴を認識することができる。
【００４１】
一方、容器口部から取り外されたキャップ本体１に繋がれ且つ分断されたＴＥバンド２には、ブリッジ３１ａ，３１ｂの破断残片が残ることとなるが、このような破断残片は、湾曲凹部４０に位置するものとなる。従って、容器口部から取り外されたキャップを手で持って取り扱うに際して、破断残片が手に当るなどの不都合を有効に回避することができ、前述した図１〜図７のラチェット係合型の螺子キャップと同様、その取扱いが容易となるわけである。
【００４２】
尚、分断面３０ａに形成する湾曲凹部４０を矩形状の凹部とした場合にも、分断されたＴＥバンド２に形成されるブリッジ３１ａ，３１ｂの破断残片が手に当るなどの不都合を回避することは可能である。しかしながら、この場合には、分断面３０ａ及び分断面３０ｂに角の尖ったコーナー部が形成されてしまい、このコーナー部が手に当るなどの不都合を生じてしまうため、容器口部から取り外されたキャップの取り扱いが容易となるという本発明で達成される効果を得ることはできない。
【００４３】
上述した本発明の螺子キャップは、袋状容器（パウチ）に口部として設けられているスパウトのような小径の容器口部にラチェット式の螺子キャップを装着する場合に最適であるが、このようなスパウト用のキャップに限定されるものではなく、ボトル等の容器の口部に用いるキャップとしても好適に使用することができる。
【符号の説明】
【００４４】
１：キャップ本体
２：ＴＥバンド
１７：ラチェット
２１：非破断型連結片（ストリップ）
２３：破断型連結片
３０：上下方向スリット
３０ａ，３０ｂ：分断面
３１ａ，３１ｂ：破断ブリッジ
４０：凹んだ湾曲部（湾曲凹部）
４３：ブリッジ３１ａ，３１ｂの破断残片
４５：突出した湾曲部（湾曲凸部）
５０：容器口部
５３：突部
【図１】
2015217966.tif 000003
【図２】
2015217966.tif 000004
【図３】
2015217966.tif 000005
【図４】
2015217966.tif 000006
【図５】
2015217966.tif 000007
【図６】
2015217966.tif 000008
【図７】
2015217966.tif 000009
【図８】
2015217966.tif 000010